(57)【要約】【課題】  火災時に親子ドアの突合せ部からの火炎や煙の連通を防ぎ、延焼を防止できるドアの提供。【解決手段】  親ドア１と子ドア２を備え、子ドア２は戸先部に煙返し３を有し、煙返し３は、見付面部３ｂにタイト材４を有し、タイト材４は、親ドア１に当接する軟質樹脂製ヒレ片部５と、火災の熱により発泡する発泡性耐火材部６を有する。【選択図】      図１
2015067975.tif 000002
【特許請求の範囲】
【請求項１】
親ドアと子ドアを備え、子ドアは戸先部に煙返しを有し、煙返しは、見付面部にタイト材を有し、タイト材は、親ドアに当接する軟質樹脂製ヒレ片部と、火災の熱により発泡する発泡性耐火材部を有することを特徴とするドア。
【発明の詳細な説明】
【技術分野】
【０００１】
本発明は、親ドアと子ドアを備えるドアに関する。
【背景技術】
【０００２】
従来の親子ドアは、子ドアの戸先部の室内側に設けた煙返しに軟質樹脂より成るタイト材（例えば、特許文献１参照）を設け、タイト材を親ドアに当接させることで気密性や水密性を確保している。火災時には、タイト材が溶融して無くなり、親ドアと子ドアの突合せ部より火炎や煙が室内外を連通し、延焼に繋がるおそれがあった。
【先行技術文献】
【特許文献】
【０００３】
【特許文献１】特開平１０−３７６２９号公報
【発明の概要】
【発明が解決しようとする課題】
【０００４】
本発明は以上に述べた実情に鑑み、火災時に親子ドアの突合せ部からの火炎や煙の連通を防ぎ、延焼を防止できるドアの提供を目的とする。
【課題を解決するための手段】
【０００５】
上記の課題を達成するために請求項１記載の発明によるドアは、親ドアと子ドアを備え、子ドアは戸先部に煙返しを有し、煙返しは、見付面部にタイト材を有し、タイト材は、親ドアに当接する軟質樹脂製ヒレ片部と、火災の熱により発泡する発泡性耐火材部を有することを特徴とする。
【発明の効果】
【０００６】
請求項１記載の発明によるドアは、子ドアの戸先部に煙返しを有し、煙返しは、見付面部にタイト材を有し、タイト材は、親ドアに当接する軟質樹脂製ヒレ片部と、火災の熱により発泡する発泡性耐火材部を有しているので、火災時にタイト材の発泡性耐火材部が発泡して親子ドアの突合せ部の隙間を塞ぐため、親子ドアの突合せ部からの火炎や煙の連通を防ぎ、延焼を防止できる。
【図面の簡単な説明】
【０００７】
【図１】親子ドアの突合せ部を拡大して示す横断面図である。
【図２】図３のＡ−Ａ断面図である。
【図３】本発明に係るドアの一実施形態を示す室内側正面図である。
【図４】火災時における親子ドアの突合せ部の横断面図である。
【発明を実施するための形態】
【０００８】
以下、本発明の実施の形態を図面に基づいて説明する。図１〜３は、本発明に係るドアの一実施形態を示している。本ドアは玄関用のドアであり、図２，３に示すように、躯体開口部に取付けられる枠７と、一方の竪枠８ａに蝶番９ａで室外側に開くように取付けた親ドア１と、他方の竪枠８ｂに蝶番９ｂで室外側に開くように取付けた子ドア２を備える。親ドア１は、戸先側にハンドル１０と、ハンドル１０と連動したラッチ錠と、ハンドル１０の上下２か所に設けた本締り錠３８ａ，３８ｂを備え、ラッチ錠と本締り錠３８ａ，３８ｂを子ドア２の戸先部に設けた錠受けに係合することで施錠される。子ドア２は、フランス落しにより施錠される。
【０００９】
親ドア１は、図２に示すように、金属製のフレーム１１を四周枠組みし、その枠内に発泡スチロール板等の断熱材１２を配置し、室外側と室外側に鋼板よりなるパネル１３ａ，１３ｂを貼り付けたいわゆるフラッシュ構造となっている。パネル１３ａ，１３ｂは、四周の縁部を見込み方向に折り曲げて、リベット１４でフレーム１１に固定してある。
親ドア１の戸先側の見込面には、図１に示すように、アルミ形材よりなるエッジ材１５が取付けてある。エッジ材１５は、室外側に煙返し１６を有し、煙返し１６は室外側に突出する見込面部１６ａと、見込面部１６ａの先端より親ドア１の戸先側に突出する見付面部１６ｂを有しており、煙返し１６により親子ドア１，２の突合せ部の隙間１７を室外側から隠している。
親ドア１の戸先側の見込面の室外側の部分には、熱に反応して発泡・膨張する発泡性耐火材１８が長手方向に沿って設けてある。かかる発泡性耐火材１８は、市販品の中から適宜選択して用いることができ、例えば積水化学工業株式会社製の商品名「フィブロック」を用いることができる。これは、プラスチック技術を活用した有機系耐火材であり、通常の状態では薄いシート状で、２００℃以上に加熱されると厚さ方向に５〜４０倍に膨張し、断熱層を形成する。火災時に消失することがなく、有害ガスが発生することもない。またフィブロックは、片面に剥離紙付きの接着層を有しているので、剥離紙を剥がして簡便に接着取付けできる。
【００１０】
子ドア２は、親ドア１と同様に、金属製のフレーム１９を四周枠組みし、その枠内に発泡スチロール板等の断熱材２０を配置し、室外側と室外側に鋼板よりなるパネル２１ａ，２１ｂを貼り付けたいわゆるフラッシュ構造となっている。パネル２１ａ，２１ｂは、四周の縁部を見込み方向に折り曲げて、リベット２２でフレーム１９に固定してある。
子ドア２の戸先側の見込面には、図１に示すように、アルミ形材よりなるエッジ材２３が取付けてある。エッジ材２３は、室内側に煙返し３を有し、煙返し３は室内側に突出する見込面部３ａと、見込面部３ａの先端より子ドア２の戸先側に突出する見付面部３ｂを有し、煙返し３により親子ドア１，２の突合せ部の隙間１７を室内側から隠している。見付面部３ｂの戸先側端部には、タイト材ホルダー２４が室外側に向けて設けられ、タイト材ホルダー２４にタイト材４が取付けてある。タイト材４は、軟質樹脂製ヒレ片部５と、熱に反応して発泡・膨張する発泡性耐火材部６とを、二色押出成形により一体化したものである。軟質樹脂製ヒレ片部５は、発泡性耐火材部６よりも煙返し３の見込面部３ａから遠い側にあって、親ドア１の室内側の見付面の戸先側端部に当接し、親子ドア１，２の突合せ部の隙間１７からの風雨の吹き込みを阻止している。発泡性耐火材部６は、軟質樹脂製ヒレ片部５よりも煙返し３の見込面部３ａに近い側にあって、親子ドア１，２の突合せ部の隙間１７に対向している。発泡性耐火材部６は、中空部２５を設けて弾力性を持たせている。
【００１１】
煙返し３は、図１に示すように、ステンレス板よりなる補強材２６を取付けて補強してある。補強材２６は、煙返し３の外側（室内側）に配置した主補強材２６ａと、煙返し３の内側（室外側）に配置した従補強材２６ｂとからなり、両補強材２６ａ，２６ｂは煙返し３の見込面部３ａを挟み込むようにしてリベット２７で取付けてある。主補強材２６ａは、室外側の端部が煙返し３の見込面部３ａの付け根部分に形成された溝２８に係止し、室内側の端部がタイト材ホルダー２４の室内側までのびている。従補強材２６ｂは、見込方向・見付方向共に主補強材２６ａよりも短くなっている。煙返し３は、室内側から係合取付けした樹脂製のカバー材２９によりカバーされている。
【００１２】
親ドア１及び子ドア２の戸先側見込面の室内側端部には、エッジ材１５，２３とパネル１３ｂ，２１ｂの折り返し部分との間に挟み込んで、発泡性耐火材３０，３１が長手方向に沿って設けてある。
また、子ドア２の戸先側見込面の室外側端部にも発泡性耐火材３２が長手方向に沿って設けてある。この発泡性耐火材３２は、親ドア１の戸先側見込面の発泡性耐火材１８と対向して設けてある。
【００１３】
枠７は、図２に示すように、内周側の見込面の室内側にタイト材ホルダー３３を内周側に突出して有し、タイト材ホルダー３３にタイト材３４が室外側に向けて設けてある。この枠のタイト材３４は、煙返し３のタイト材４と同様に、軟質樹脂製ヒレ片部３５と発泡性耐火材部３６を有するものであり、軟質樹脂製ヒレ片部３５が親ドア１及び子ドア２の室内側見付面の周縁部に当接し、発泡性耐火材部３６は親ドア１及び子ドア２と枠７との隙間３７に対向している。
【００１４】
図４は、火災時における親子ドア１，２の突合せ部の状態を示している。同図に示すように、火災が発生すると子ドア２の煙返し３に取付けたタイト材４の発泡性耐火材部６が火災の熱により発泡・膨張し、親子ドア１，２の突合せ部の隙間１７を室内側から塞ぎ、親子ドア１，２の戸先側見込面の室外側に取付けた発泡性耐火材１８，３２が火災の熱により発泡・膨張し、親子ドア１，２の突合せ部の隙間１７を室外側から塞ぐ。これにより親子ドア１，２の突合せ部からの火炎や煙の連通を防ぎ、延焼を防止できる。
子ドア２の煙返し３が補強材２６で補強してあるため、煙返し３が火災の熱で溶けたとしても補強材２６は残り、タイト材４の発泡性耐火材部６が補強材２６に当たるように発泡・膨張することで、親子ドア１，２の突合せ部の隙間１７を塞いだ状態を確実に維持できる。
また、親ドア１及び子ドア２の見込面に発泡性耐火材１８，３２が対向して設けてあることで、親ドア１が熱反りして戸先側の上部と下部が見込方向に移動したとしても、親子ドア１，２の見込面間の空間を発泡性耐火材１８，３２で密に塞ぐことができる。
さらに、親ドア１及び子ドア２にエッジ材１５，２３とパネル１３ｂ，２１ｂの間に挟み込んで設けた発泡性耐火材３０，３１が発泡・膨張することで、ドアの錠や錠受け等の機能部品の隙間を通って室内側に流れ込む煙や、ドア内部の断熱材１２，２０から発生する可燃ガスが室内側に連通するのを防止できる。
また、枠７のタイト材３４の発泡性耐火材部３６が発泡・膨張して親子ドア１，２の周囲と枠７の間の隙間３７を塞ぎ、親子ドア１，２の周囲と枠７の間から火炎や煙が連通することも防止できる。
【００１５】
本発明は以上に述べた実施形態に限定されない。タイト材４の軟質樹脂製ヒレ片部５及び発泡性耐火材部６の材質・形状は、適宜変更することができる。親ドア１及び子ドア２の構造は任意であり、フラッシュ構造のものに限らず、例えば框組みした枠にパネルを嵌め込んだ構造等であってもよい。本発明は、玄関ドアに限らず、勝手口のドアや室内のドア等、あらゆるドアに適用することができる。
【符号の説明】
【００１６】
１  親ドア
２  子ドア
３  煙返し
４  タイト材
５  軟質樹脂製ヒレ片部
６  発泡性耐火材部
【図１】
2015067975.tif 000003
【図２】
2015067975.tif 000004
【図３】
2015067975.tif 000005
【図４】
2015067975.tif 000006